(57)【要約】      （修正有）【課題】不使用時には、ノズルの吐出口を覆い内容液の固化を防止し、ノズルカバーの押圧操作にあたって、吐出口の開閉をスムーズにして操作性を高め、さらに、不用意な力がかかってもポンプが作動せず内容液が吐出しない液体吐出装置を提供すること。【解決手段】容器本体１、ポンプ機構２、カバー体４、ノズル２９を具えた押下げヘッド５、およびノズルカバー６とを備えた液体吐出装置であって、カバー体は、ノズル側に窓部１７を設け、反対側に溝部が設けられ、ノズル方向に延びる側壁面に、上下方向に縦長軸孔を穿設し、窓部近傍のノズル側下方に、ストッパー２３が設けられており、押下げヘッドは、前記縦長軸孔に係合する軸ピンが突設されており、ノズルカバーは、押下げヘッドを覆うカバー本体部とノズル覆部とからなり、カバー本体部には、中央部に前記軸ピンに係合する軸受孔が設けられ、下方にストッパーに係合する制御用突起４０が設けられている。【選択図】図１
2006306433.tif 000002
【特許請求の範囲】
【請求項１】
容器本体と、容器口部にポンプ機構を取着するポンプ取付体と、該ポンプ取付体に取着されたカバー体と、ポンプ機構に連設されノズルを具えた押下げヘッド、および該押下げヘッドを覆うノズルカバーとを備えた液体吐出装置であって、
前記カバー体は、内周壁と外周壁とからなり、ノズル側に窓部を設け、反対側に溝部が設けられ、内周壁のノズル方向に延びる側壁面に、上下方向に縦長軸孔を穿設し、窓部近傍のノズル側下方に、ストッパーが設けられており、
押下げヘッドは、ポンプ機構のステムに嵌合され、側周壁に前記縦長軸孔に係合する軸ピンが突設されており、
ノズルカバーは、押下げヘッドを覆う頂壁と側壁とを具えたカバー本体部とノズル覆部とからなり、カバー本体部の側壁には、中央部に前記軸ピンに係合する軸受孔が設けられ、下方にストッパーに係合する制御用突起が設けられていることを特徴とする液体吐出装置。
【請求項２】
カバー体のストッパーは、上面を係止面とし、下方に傾斜面と移動制限部が設けられており、
カバー本体部側壁のノズル側前端には、前記ストッパーの係止面に係合する係止端縁が形成され、
制御用突起は、ストッパーの傾斜面と移動制限部に係合するようになっていることを特徴とする請求項１記載の液体吐出装置。
【発明の詳細な説明】
【技術分野】
【０００１】
本発明は、液体吐出装置、とくにノズル付押下げヘッドに吐出口を開閉するノズルカバーを取着した液体吐出装置に関するものである。
【背景技術】
【０００２】
シャンプー、リンス、化粧料、液体皮膚洗浄剤、洗剤、洗剤仕上げ剤等の内容物が充填された容器に被着される液体吐出装置は、従来より知られている。    
従来の液体吐出装置は、ノズル内面に内容物を付着させたまま長時間放置すると、内容物が固化し、吐出ノズル内面に固着し、ノズル孔が狭く吐出不良となったり、時には目詰りを起こすことがあった。
このような不都合をなくすため、吐出ノズルの吐出口を開閉するノズル覆部を具えたノズルカバーをノズルヘッドに取付けたものも、従来より知られている（例えば、特許文献１、２参照）。
【特許文献１】実公平６−３４８５４号公報
【特許文献２】特開平１０−２５８８６６号公報
【発明の開示】
【発明が解決しようとする課題】
【０００３】
しかしながら、上記従来の液吐出装置は、ノズルカバーのノズル覆部が、吐出口に接触しながら上方に動くようになっていることと、ノズルカバーが充分に開かないので、操作性がよくなかった。
【０００４】
また、ノズルカバーを閉じるときに、吐出口の残液がかき取られ、その残液がノズルカバーのノズル覆部上方に溜められて付着し、固化することもあった。
【０００５】
また、搬送中や展示中、使用時の保管時等に、カバーに不用意な力がかかるとポンプが作動し、内容液が吐出することもあった。
【０００６】
本発明は、上記問題を解決することを課題として、不使用時には、吐出ノズルの吐出口を覆い内容液の固化を防止し、ノズルカバーの押圧操作にあたって、ノズル覆部の蓋板が吐出ノズル先端に摺接することなく、吐出口の開閉をスムーズにして操作性を高め、さらに、不用意な力がかかってもポンプが作動せず内容液が吐出しないようにした液体吐出装置を提供することを目的とする。
【課題を解決するための手段】
【０００７】
本発明は、上記の課題を解決するため、液体吐出装置として、容器本体と、容器口部にポンプ機構を取着するポンプ取付体と、該ポンプ取付体に取着されたカバー体と、ポンプ機構に連設されノズルを具えた押下げヘッド、および該押下げヘッドを覆うノズルカバーとを備えた液体吐出装置であって、前記カバー体は、内周壁と外周壁とからなり、ノズル側に窓部を設け、反対側に溝部が設けられ、内周壁のノズル方向に延びる側壁面に、上下方向に縦長軸孔を穿設し、窓部近傍のノズル側下方に、ストッパーが設けられており、押下げヘッドは、ポンプ機構のステムに嵌合され、側周壁に前記縦長軸孔に係合する軸ピンが突設されており、ノズルカバーは、押下げヘッドを覆う頂壁と側壁とを具えたカバー本体部とノズル覆部とからなり、カバー本体部の側壁には、中央部に前記軸ピンに係合する軸受孔が設けられ、下方にストッパーに係合する制御用突起が設けられていることを特徴とする構成を採用する。
【０００８】
カバー体のストッパーと、ノズルカバーの係止部の実施例として、カバー体のストッパーは、上面を係止面とし、下方に傾斜面と移動制限部が設けられており、カバー本体部側壁のノズル側前端には、前記ストッパーの係止面に係合する係止端縁が形成され、制御用突起は、ストッパーの傾斜面と移動制限部に係合するようになっていることを特徴とする構成を採用する。
【発明の効果】
【０００９】
本発明の液体吐出装置は、不使用時には、吐出ノズルの吐出口を覆い内容液の固化を防止し、ノズルカバーの押圧操作にあたって、ノズル覆部が吐出ノズル先端に摺接することなく吐出口の開閉をスムーズにし、残液をかき取ることがないようにすることができた。
【００１０】
ノズルカバーが大きく開くので吐出ノズルとの間隔が充分にとれ、ノズルカバーが邪魔にならず操作性が優れるようになった。
搬送中や展示中、また、使用開始後の保管等に不用意な力がかかってもポンプが作動しないので、内容液が吐出せず汚染することがない。
【発明を実施するための最良の形態】
【００１１】
次に、本発明の液体吐出装置について説明する。
本液体吐出装置は、シャンプー、リンス、化粧料、液体皮膚洗浄剤、洗剤、洗剤仕上げ剤等の内容物が収納されるもので、以下図面を参照して説明する。
【００１２】
図１〜３に示すように、本発明の液体吐出装置は、容器本体１とポンプ機構２、ポンプ取付体３とカバー体４、およびノズルを具えた押下げヘッド５とノズルカバー６とから構成されている。
容器本体１は、胴部７とねじ８を設けた容器口部９とを具えている。
【００１３】
ポンプ取付体３は、ポンプ機構２が収納された容器口部９のねじ８に螺合するねじ１０を設けた内筒１１と、上方の縮径部１２に環状突起１３を設けた外筒１４とから形成されている。
【００１４】
カバー体４は、二重壁で形成され、内周壁１５と外周壁１６とからなっており、周壁のノズル側には、窓部１７が形成され、反対側には、ノズルカバー６の揺動用の溝部１８が設けられている。
【００１５】
内周壁１５は、溝部１８からノズル方向に延びる側壁面１５ａと、両溝部１８で囲まれた後壁面とからなっており、側壁面１５ａには、上下方向に延びる縦長軸孔１９が穿設されており、窓部１７の近傍のノズル側下方には、上面を平坦な係止面２０、下面を窓部１７側が下がる傾斜面２１とし、垂下部を移動制限部２２とした鉤型状のストッパー２３が設けられている。
外周壁１６の内面側下方２４には、ポンプ取付体３の環状突起１３に係合する環状凹条２５が設けられている。
【００１６】
押下げヘッド５は、ポンプ機構２のステム２６に嵌合された頭部２７と、該頭部２７に連設され、先端に吐出口２８を設けたノズル２９とからなっている。
頭部２７の側周壁には、カバー体４の内周壁１５に穿設された縦長軸孔１９に係合する軸ピン３０が突設されており、その上方には、所定の位置にガタつき防止用のリブ３１ａを突設した凹部３１が設けられている。
【００１７】
ノズルカバー６は、頭部２７を覆うカバー本体部３２と、該カバー本体部３２に連設された、先端に蓋板３３を設けたノズル覆部３４とからなっている。
カバー本体部３２は、ほぼ半円形の側壁３５と、頂壁３６とから形成され、側壁３５の円形中心部には、軸ピン３０が嵌挿される軸受孔３７が穿孔されており、その上方には、凹部３１と係合する突条３８が設けられている。
【００１８】
側壁３５のノズル側には、ストッパー２３の係止面２０に係合して下方への移動が阻止される係止端縁３９が形成され、その下方には、ストッパー２３の傾斜面２１に摺動係合して移動制限部２２に衝接する制御用突起４０が設けられている。
【００１９】
ノズルカバー６は、軸ピン３０、或いはストッパー２３の移動制御部２２を中心に廻動し、側壁３５は、カバー体４の溝部１８内で揺動可能となっている。
頂壁３６の上面には、ノズルカバー６の廻動を容易にするため、滑り止め用の複数の突条４１が設けられている。
【００２０】
ノズル覆部３４は、ノズルカバー６を、軸ピン３０を中心に廻動させ始めたときに、蓋板３３が、ノズル２９の吐出口２８面からわずかに離間しつつ上昇するように形成されている。
【００２１】
次に、本発明液吐出装置の作用効果について説明する。
図１に示すように、押下げヘッド５をノズルカバー６で覆った状態では、ノズルカバー６の側壁３５に設けた係止端縁３９の下端面がストッパー２３の係止面２０に当接しているので、ノズルカバー６は、上方からの力を受けても押下げヘッド５を押圧することはできない。
したがって、ポンプが作動しないので、内容液は吐出しないようになっている。
【００２２】
また、ノズルカバー６の突条３８は、押下げヘッド５の凹部３１の端部とリブ３１ａとの間でリブ３１ａに接して位置しているので、リブ３１ａによって廻動が阻止され、ノズルカバー６が妄りに廻動することはない。
【００２３】
吐出装置の使用にあたっては、図４に示すように、ノズルカバー６をノズルの反対方向に廻動させていくと、最初は、軸ピン３０を中心として廻動してノズル覆部３４が上昇する。
その際、ノズル覆部３４の蓋板３３は、ノズル２９の吐出口２８面と離間し、摺接しないようになっているので、軽快に操作することができる。
【００２４】
次いで、さらに廻動させていくと、図５に示すように、ストッパー２３の傾斜面２１に沿って制御用突起４０がスライドしながら滑らかに移動するので、側壁３５の軸受孔３７は、常時押下げヘッド５の軸ピン３０に係合し、該軸ピン３０が縦長軸孔１９に案内されて下降し、同時に、側壁３５の突条３８が凹部３１に係合して押下げヘッド５が押下げられる。
【００２５】
制御用突起４０が移動制限部２２に当接すると、ノズルカバー６の廻動が停止されるが、移動制限部２２に沿って下降させることができるので、押下げヘッド５を所定の位置まで押下げることもできる。
したがって、ノズルカバー６の初期の廻動で、ノズル２９の吐出口２８を開き、さらなる廻動操作と押下げ操作で押下げヘッド５を押下げて、内容液を吐出することができる。
【００２６】
また、カバー本体部３２の上面に複数の滑り止め用の突条４１を設けたことにより一層確実にノズルカバー６を廻動させることが可能となっており、内容液の吐出をスムーズに行うことができる。
【産業上の利用可能性】
【００２７】
吐出ノズルを確実に覆うことが可能で、不用意な力がかかってもポンプが作動せず、しかもスムーズな作動が確保できるので、固化しやすい内容物が充填された液体吐出装置として広く利用できる。
【図面の簡単な説明】
【００２８】
【図１】本発明実施例の液体吐出装置の縦断側面図である。
【図２】液体吐出装置の縦断正面図である。
【図３】液体吐出装置の背面図である
【図４】液体吐出装置の最初の作動状態を示す縦断側面図である。
【図５】液体吐出装置の最終の作動状態を示す縦断側面図である。
【符号の説明】
【００２９】
１      容器本体
２      ポンプ機構
３      ポンプ取付体
４      カバー体
５      押下げヘッド
６      ノズルカバー
７      胴部
８      ねじ
９      容器口部
１０    ねじ
１１    内筒
１２    縮径部
１３    環状突起
１４    外筒
１５    内周壁
１５ａ  側壁面
１６    外周壁
１７    窓部
１８    溝部
１９    縦長軸孔
２０    係止面
２１    傾斜面
２２    移動制限部
２３    ストッパー
２４    下方
２５    環状凹部
２６    ステム
２７    頭部
２８    吐出口
２９    ノズル
３０    軸ピン
３１    凹部
３２    カバー本体部
３３    蓋板
３４    ノズル覆部
３５    側壁
３６    頂壁
３７    軸受孔
３８    突条
３９    係止端縁
４０    制御用突起
４１    突条
【図１】
2006306433.tif 000003
【図２】
2006306433.tif 000004
【図３】
2006306433.tif 000005
【図４】
2006306433.tif 000006
【図５】
2006306433.tif 000007